(57)【要約】      （修正有）【課題】あまり力を必要とせず、多機能で使い易い省力化手回し式ジューサーを提供する。【解決手段】省力化手回し式ジューサーは、本体１と、横方向で、本体上部の一方端に設けられた外筒２と、本体上部の他方端に設けられた手回し式ハンドル３とを備えてなり、本体の上部は、ソケット７と、ギヤボックス８とを備え、ソケットは、対向した二つの連結端が設けられ、一つの連結端は外筒に嵌め込み、もう一つの連結端はギヤボックスと結合され、ギヤボックス内には、ギヤセットが設けられ、ギヤセットは、第一ギヤと第二ギヤとを備え、第一ギヤは、手回し式ハンドルの差込用突起部を差込んで結合し、第二ギヤは、研磨棒４先端の差込用突起部を差し込んで結合するように設けられ、手回し式ハンドルを手動で回すと、ギヤセットによって、研磨棒を回転させ、省力化を実現する。【選択図】図１
0003234378.tif 000002
【実用新案登録請求の範囲】
【請求項１】
本体（１）と、
前記本体（１）上部の一方端に設けられた取外し可能な外筒（２）と、
前記本体（１）上部の他方端に設けられた手回し式ハンドル（３）と、
前記外筒（２）内に設けられた押搾り用研磨棒（４）と、
前記研磨棒（４）の外側を包む研磨カバー（５）と、
前記外筒（２）の先端に設けられたシーリングキャップ（６）と、を備え、
前記本体（１）の上部は、ソケット（７）と、ギヤボックス（８）とを備え、
前記ソケット（７）は、対向した二つの連結端が設けられ、
一方の連結端は、前記外筒（２）に嵌め込まれ、
他方の連結端は、前記ギヤボックス（８）と結合固定されており、
前記ギヤボックス（８）は、内部に設けられている少なくともの二つのギヤセット（８１）を備え、
一方のギヤセットは、前記手回し式ハンドル（３）の差込用突起部（３１）を差し込まれて第一ギヤ（８４）と結合し、
他方のギヤセットは、前記研磨棒（４）先端の差込用突起部（４１）を差し込まれて第二ギヤ（８５）と結合するように設けられ、
前記手回し式ハンドル（３）を手動で回すと、前記ギヤセット（８１）によって、前記研磨棒（４）を回転させるように設けられることを特徴とする省力化手回し式ジューサー。
【請求項２】
前記第一ギヤ（８４）は、能動ギヤであり、
前記第二ギヤ（８５）は、従動ギヤであり、
前記能動ギヤは、前記従動ギヤより歯数が少ないことを特徴とする請求項１に記載の省力化手回し式ジューサー。
【請求項３】
前記第二ギヤ（８５）の一方端には、第一差込穴（８５１）が設けられ、
前記一方端に対向した他方端には、第二差込穴（８５２）が設けられ、
前記第一差込穴（８５１）は、前記研磨棒（４）先端の前記差込用突起部（４１）が差し込まれて結合され、
前記第二差込穴（８５２）は、前記手回し式ハンドル（３）先端の前記差込用突起部（３１）が差し込まれて結合されるように設けられることを特徴とする請求項２に記載の省力化手回し式ジューサー。
【請求項４】
前記第一ギヤ（８４）と前記第二ギヤ（８５）との間には、アイドルギアが設けられることを特徴とする請求項１に記載の省力化手回し式ジューサー。
【請求項５】
前記研磨カバー（５）の先端は、カス取り用ろ過リング（５１）であり、
前記ろ過リング（５１）には、リング状のろ過網（５１１）が設けられていることを特徴とする請求項１に記載の省力化手回し式ジューサー。
【請求項６】
前記研磨カバー（５）の先端は、導流用導流リング（５５）であり、
前記導流リング（５５）には、複数のリブ（５５１）が設けられており、
各リブ（５５１）の間には、隙間が形成されていることを特徴とする請求項１に記載の省力化手回し式ジューサー。
【請求項７】
前記手回し式ハンドル（３）は、
スモールロッド（３２）と、
前記スモールロッド（３２）の外に嵌め込まれるビッグロッド（３３）と、
調整ナット（３４）と、を備え、
前記スモールロッド（３２）の一方端は、前記差込用突起部（３１）と結合し、
前記スモールロッド（３２）の他方端は、ビッグロッド（３３）内に差し込まれ、先端に更にネジ穴（３２１）が設けられ、
前記ビッグロッド（３３）の一方端には、前記スモールロッド（３２）を差し込むための開口が設けられ、
前記ビッグロッド（３３）の他方端は、持ち手（３５）と垂直に結合し、
前記ビッグロッド（３３）には、更に、前記調整ナット（３４）を通らせ、前記スモールロッド（３２）のネジ穴（３２１）内に嵌め入れて、固定するためのスロットレール（３３１）が設けられていることを特徴とする請求項１に記載の省力化手回し式ジューサー。
【請求項８】
前記本体（１）の下部は、
上部クランプ（９）と、
前記上部クランプ（９）と上下対称になる下部ロッドクランプ（１０）と、を備え、
前記上部クランプ（９）及び前記下部ロッドクランプ（１０）によって、テーブル板を上下から挟むように設けられ、
前記上部クランプ（９）は、少なくともの二つの左右対称に設けられる押え部（９１）、（９２）を備え、
前記下部ロッドクランプ（１０）には、更に、少なくともの一つの縦方向に昇降調整可能なスクリュー（１０１）が設けられることを特徴とする請求項１に記載の省力化手回し式ジューサー。
【請求項９】
前記本体（１）の下部は、テーブルに置かれる台座（１１）であり、
前記台座（１１）の下方には、更に、カウンタウェイト（１２）が設けられることを特徴とする請求項１に記載の省力化手回し式ジューサー。
【請求項１０】
前記本体（１）の下部は、テーブルに置かれる台座（１１）であり、
前記台座（１１）の底面には、真空吸着パッド（１３）が設けられることを特徴とする請求項１に記載の省力化手回し式ジューサー。
【考案の詳細な説明】
【技術分野】
【０００１】
本考案は、ジューサーの分野に関わり、特に省力化手回し式ジューサーに関する。
【背景技術】
【０００２】
食事バランスを重要視している現代の人々は、食事で不足しがちのビタミンや食物繊維の栄養素を補充するため、果物や野菜を搾って、ジュースを作れるジューサーを購入する。
【０００３】
従来のジューサーは、電動と手動の二タイプに分かれ、その中、電動タイプが多いが、電動ジューサーは、電動モータによるカッターで、果物を細かく切ることができるが、果物は食物繊維が切り砕かれて、栄養素が減少してしまうことで、それを避けるため、手動ジューサーを使うユーザもある。従来の手動ジューサーでは、レモンやミカンのような果物を、上下から挟み、押し搾るようになっているのに対して、野菜や、イチゴ、葡萄などには実施できないこと、そこで、螺旋の力で横方向に押し付けて、ジュースを搾ることを業者が考案しており、その原理は従来のミートチョッパーの場合と同じように、筒体内のローラーブレードを回転して、野菜や果物を押し付け、切り砕けて、汁液を搾ることだが、手動タイプでは、大変力仕事で、女性や年寄りにとって、大変きついこととなり、手や腕に痛みなどが起こることから、それを更に改善する必要がある。
【考案の概要】
【考案が解決しようとする課題】
【０００４】
本考案は、上述した既存の問題点を解決するため、省力化手回し式ジューサーを提供することを目的とする。
【課題を解決するための手段】
【０００５】
前記問題点を解決でき、上記目的を達成するために、本考案の省力化手回し式ジューサーは、本体と、本体上部の一方端に設けられた取外し可能な外筒と、本体上部の他方端に設けられた手回し式ハンドルと、前記外筒内に設けられた押搾り用研磨棒と、研磨棒の外側を包む研磨カバーと、前記外筒の先端に設けられたシーリングキャップとを備えてなり、前記本体の上部は、ソケットと、ギヤボックスとを備えてなり、前記ソケットは、対向した二つの連結端が設けられ、一つの連結端は外筒に嵌め込み、もう一つの連結端は前記ギヤボックスと結合固定されており、前記ギヤボックスは、内部にギヤセットが設けられ、少なくともの二つのギヤセットを備えてなり、一つは、前記手回し式ハンドルの差込用突起部を差し込んで、第一ギヤと結合し、もう一つは、研磨棒先端の差込用突起部を差し込んで、第二ギヤと結合するように設けられ、手回し式ハンドルを手動で回すと、ギヤセットによって、研磨棒を回転させるように設けられる。
【０００６】
前記第一ギヤは能動ギヤ、第二ギヤは従動ギヤであり、前記能動ギヤは従動ギヤより歯数が少ないことが好ましい。
【０００７】
前記第二ギヤの一方端には第一差込穴、対向した他方端には第二差込穴が設けられ、前記第一差込穴は、研磨棒先端の差込用突起部が差し込んで結合し、前記第二差込穴は、手回し式ハンドル先端の差込用突起部が差し込み、結合するように設けられることが好ましい。
【０００８】
前記第一ギヤと第二ギヤとの間には、アイドルギアが設けられることが好ましい。
【０００９】
前記研磨カバーの先端は、カス取り用ろ過リングであり、前記ろ過リングには、リング状のろ過網が設けられていることが好ましい。
【００１０】
前記研磨カバーの先端は、導流用導流リングであり、前記導流リングには、複数のリブが設けられており、各リブの間には、隙間が形成されていることが好ましい。
【００１１】
前記手回し式ハンドルは、スモールロッドと、スモールロッドの外に嵌め込まれるビッグロッドと、調整ナットとを備えてなり、前記スモールロッドの一方端は前記差込用突起部と結合し、他方端は、ビッグロッド内に差し込まれ、先端に更にネジ穴が設けられ、前記ビッグロッドの一方端には、前記スモールロッドを差し込むための開口が設けられ、他方端は持ち手と垂直に結合し、前記ビッグロッドには更に、前記調整ナットを通らせ、前記スモールロッドのネジ穴内に嵌め入れて、固定するためのスロットレールが設けられていることが好ましい。
【００１２】
前記本体の下部は、上部クランプと、上部クランプとが上下対称になる下部ロッドクランプとを備えてなり、前記上部クランプと下部ロッドクランプによって、テーブル板を上下から挟むように設けられ、前記上部クランプは、少なくともの二つの左右対称に設けられる押え部、を備えてなり、前記下部ロッドクランプには更に、少なくともの一つの縦方向に昇降調整可能なスクリューが設けられることが好ましい。
【００１３】
前記本体の下部は、テーブルに置かれる台座であり、前記台座の下方には更に、カウンタウェイトが設けられることが好ましい。
【００１４】
前記本体の下部は、テーブルに置かれる台座であり、前記台座の底面には、真空吸着パッドが設けられることが好ましい。
【考案の効果】
【００１５】
本考案の技術では、従来の技術より、次のような効果がある。
【００１６】
本考案では、手回し式ハンドルを回すと、ギヤボックスによって、研磨棒を回転させて、研磨を行い、ジュースを搾り出すように設けられ、研磨の時、あまり力を入れず行われるので、省力化を実現すること。
【００１７】
本考案の研磨カバーは、二種類があり、一つは研磨してシーズを搾り、もう一つはジャムや粉末に研磨するように用いられ、研磨カバーの入れ替えにより、三つの機能を利用できることで、経済的効果が大幅に向上すること。
【００１８】
本考案の手回し式ハンドルは、使用環境のニーズに応じて、長さが伸縮可能で、簡単かつ素早く調整できること。
【００１９】
本考案の本体の下部は、二種類の構造があり、一つは、テーブルの縁に固定され、もう一つはテーブルに置かれるように用いられ、ユーザはニーズにより、実施方法が決められること。
【図面の簡単な説明】
【００２０】
【図１】本考案の省力化手回し式ジューサーの立体図である。
【図２】本考案の本体と外筒と手回し式ハンドルの分解図である。
【図３】本考案の本体と外筒と手回し式ハンドルの分解図である。
【図４】本考案の外筒と研磨棒と研磨カバーとシーリングキャップの分解図である。
【図５】本考案の本体とギヤボックスの分解図である。
【図６】本考案の省力化手回し式ジューサーの局所断面図である。
【図７】本考案の外筒と二種類の研磨カバーを組み合わせた場合を示す分解図である。
【図８】本考案の省力化手回し式ジューサーのもう一つの実施例図である。
【図９】本考案の省力化手回し式ジューサーの更にもう一つの実施例図である。
【考案を実施するための形態】
【００２１】
図１〜図４に示される本考案の省力化手回し式ジューサーは、本体１と、本体１上部の一方端に設けられた取り外し可能な外筒２と、本体１上部の他方端に設けられた手回し式ハンドル３と、前記外筒２内に設けられた押搾り用研磨棒４と、研磨棒４の外側を包む研磨カバー５と、前記外筒２の前端に設けられたシーリングキャップ６とを備えてなる。
【００２２】
横向き中空筒体である前記取り外し可能な外筒２にあっては、一方端は、一つの軸孔２１だけが開けられ、密閉されるように設けられ、その端部外に固定用アウタースナップリング２２が設置、対向した他方端は開口２３に設けられ、前記開口２３内には、固定用インナースナップリング２４が設置され、前記外筒２の上方には、野菜や果物を上から入れるためのフィーダー２５が設けられ、前記フィーダー２５のてっぺんはホッパートレー２６であり、外筒２の底部には更に、汁液が流出するための流出口２７が設けられる。前記外筒２は従来の構造になっており、ここで、それ以上述べないことにする。  
【００２３】
前記研磨棒４は、外筒２の開口から横方向から設けられ、一方端に設けられた、前記軸孔２１を通る差込用突起部４１と、他方端の外表面に設けられ、外研磨面として用いられる複数の外リブ４２と、両側間の棒体表面にあるらせん状リブ４３とを備えてなる。前記の研磨棒４は従来の構造になっており、ここで、それ以上述べないことにする。
【００２４】
前記研磨カバー５は、円錐形のカバー体であり、外筒２内に設置、かつ研磨棒４の外側を包むように設けられ、研磨棒４の外研磨面に対応して設けられた、前記研磨カバー５の内壁面には、前記内研磨面として用いられる複数の内リブ５５が設けられ、研磨カバー５は、両端を有してなり、前端は、ろ過リング５１と連結し、出口５２に設けられ、後端は入口５３であり、外筒２の流出口に対応して設けられたろ過シート５４がある。前記研磨カバー５は、従来の構造になっており、ここで、それ以上述べないことにする。  
【００２５】
前記シーリングキャップ６は両端があり、一方端である開口には、研磨カバー５をしっかりと固定するため、外筒２のインナースナップリングと嵌め合わせるアウタースナップリング６２が設けられ、他方端には、搾りカスを排出するため、研磨カバー５の出口５２に対応して設けられた搾りカス排出口６１が設けられる。前記シーリングキャップ６は従来の構造になっており、それ以上述べないことにする。  
【００２６】
図５に示すように、本考案では、本体１の上部は、ソケット７とギヤボックス８とを備えてなり、前記ソケット７は、対向した二つの連結端が設けられ、一つの連結端は外筒２に嵌め込み、もう一つの連結端はギヤボックス８と結合固定されており、前記ギヤボックス８は、内部にギヤセット８１が設けられ、少なくともの二つのギヤを有してなり、一つは、前記手回し式ハンドル３の差込用突起部３１を差込んで、結合するように設けられる第一ギヤ８４であり、もう一つは、研磨棒４先端の差込用突起部４１を差し込んで、結合するように設けられる第二ギヤ８５であることを特徴とする。
【００２７】
前記中空ソケット７は中空状の貫通物で、両端を有してなり、一方端は、外筒２のアウタースナップリング２２を嵌め込んで固定するためのフロント開口７１、他方端はギヤボックス８外壁に貼り合せるためのリア開口７２である。前記ソケット７は、外筒２とギヤボックス８間を連結するように設けられる。  
【００２８】
前記ギヤボックス８は、ギヤセット８１と、ギヤセット８１を収めるための開口を有してなる筐体８２と、筐体８２の開口を密閉するためのシーリングキャップ８３とを備えてなり、前記ギヤセット８１内の第一ギヤ８４には、手回し式ハンドル３の差込用突起部３１を差し込むための差込穴８４１が設けられる。
【００２９】
図２と図３に示すように、前記第二ギヤ８５の一方端には第一差込穴８５１、対向した他方端には第二差込穴８５２が設けられ、前記第一差込穴８５１は、研磨棒４先端の差込用突起部４１を差し込んで結合し、  前記第二差込穴８５２は、手回し式ハンドル３先端の差込用突起部３１を差し込んで結合するように設けられる。
【００３０】
前記第一ギヤ８４は能動ギヤ、第二ギヤ８５は従動ギヤであり、能動ギヤは従動ギヤより歯数が少なく、減速かつ省力化を実現し、更なる省力化のため、第一ギヤ８４と第二ギヤ８５間には更に、少なくともの一つのアイドルギア（未図示）が設けられる。
【００３１】
本考案の実施形態は、図５と図６に示すように、手回し式ハンドル３を手動で回すと、変速後のギヤボックス８内のギヤセット８１によって、研磨棒４を回転させるように設けられ、第一ギヤ８４は第二ギヤ８５より歯数が少ないので、省力化を実現することができる。野菜や果物がフィーダー２５を通って外筒２内に入り、研磨棒４のらせん状の押し付けによって、先へ進むように運ばれるが、運ばれている間、研磨棒４の外研磨面と研磨カバー５の内研磨面による継続的な研磨によって、研磨カバー５の前端から搾り出された汁液が、外筒２の流出口２７から流出し、残りのカスがシーリングキャップ６の搾りカス排出口６１から排出される。
【００３２】
図７に示すように、前記研磨カバー５は二種類があり、一つは図左に示され、前記研磨カバー５の先端は、カス取り用ろ過リング５１であり、前記ろ過リング５１には、リング状に被覆されるろ過網５１１が設けられ、それによって、カスの濾過かつ汁液の排出が行なわれ、特に野菜や果物のジュース搾りに用いられるが、もう一つは図右に示され、前記研磨カバー５の先端は、導流用導流リング５６に設けられ、前記導流リング５６にはろ過網がなく、複数のリブ５６１が設けられており、リブ５６１とリブ５６１の間には隙間が形成され、研磨して生じられたジャム、例えば、ピーナツやゴマ等のようなナッツのジャムが隙間から流出され、研磨材料は乾燥された漢方薬、例えば、胡椒やウコン等である場合、粉末に研磨される。それにより、本考案は二種類の研磨の仕方で、三つの使用機能が利用できることから、ユーザはニーズに応じて、何れかの一つを選んで実施することができる。  
【００３３】
また、図２に示すように、前記手回し式ハンドル３は、スモールロッド３２と、スモールロッド３２の外に嵌め込まれるビッグロッド３３と、調整ナット３４とを備えてなり、前記スモールロッド３２の一方端は前記差込用突起部３１と結合し、他方端はビッグロッド３３内に差し込まれ、先端に更にネジ穴３２１が設けられ、前記ビッグロッド３３の一方端には、前記スモールロッド３２を差し込むための開口が設けられ、他方端は持ち手３５と垂直に結合し、前記ビッグロッド３３には更に、前記調整ナット３４を通らせ、スモールロッド３２のネジ穴３２１内に嵌め入れて、固定するためのスロットレール３３１が設けられている。操作の時、まず、調整ナット３４を緩め、調整スモールロッド３２とビッグロッド３３間の長さを調整してから、調整ナット３４を引き締めれば、すぐ上手に使用できることで、伸縮調整が簡単で、利便性に優れている。
【００３４】
図３に示すように、前記手回し式ハンドル３の差込用突起部３１は第一ギヤ８４的差込穴８４１に差し込まれ、または、第二ギヤ８５の第二差込穴８５２に差し込まれるように設けられる。差込穴８４１に差し込まれた場合、手回し式ハンドル３を手動で回すとき、省力的に行なわれ、第二差込穴８５２に差し込まれた場合、硬いナッツを研磨するとき、あまり力を要れず、より楽に行なわれる。
【００３５】
前記本体１の下部は幾つかの形態があり、次のように、三つの例を挙げられる。
【００３６】
図１に示すように、本体１の下部の第一実施形態では、上部クランプ９と、上部クランプ９とが上下対称になる下部ロッドクランプ１０とを備えてなり、前記上部クランプ９は更に、少なくともの二つの左右対称に設けられる押え部９１、９２を備えてなり、前記下部ロッドクランプ１０には更に、少なくともの一つの縦方向に昇降調整可能なスクリュー１０１が設けられる。本体１下部は、二つの押え部９１、９２による押さえ止め、及びスクリュー１０１の昇降により、安全性を確保して、テーブルを安定に挟んで、固定するように設けられる。
【００３７】
図８に示すように、本体１の下部の第二実施形態では、前記本体１の下部は、テーブルに置かれる台座１１であり、前記台座の下方には更に、カウンタウェイト１２が設けられ、それによって、ジューサーがテーブル板に安定に置かれる。
【００３８】
図９に示すように、本体１の下部の第三実施形態では、前記本体１の下部は、テーブルに置かれる台座１１であり、前記台座１１の底面には、真空吸着パッド１３が設けられ、それによって、ジューサーがテーブルに吸着するように、安定に置かれる。
【００３９】
上述したのは本考案に関する具体的な説明であり、それを以って特許請求範囲を制限してはならないとし、本考案の要旨を逸脱せず行なわれた実施や変更を行なって、それと同じ効果を得ても、全て本考案の請求範囲に含まれるものとする。
【符号の説明】
【００４０】
１     本体
２    外筒
２１   軸孔
２２   アウタースナップリング
２３   開口
２４   インナースナップリング
２５   フィーダー
２６   ホッパートレー
２７   流出口
３     手回し式ハンドル
３１   突起部
３２   スモールロッド
３２１ ネジ穴
３３   ビッグロッド
３３１ スロットレール
３４   調整ナット
３５   持ち手
４     研磨棒
４１   突起部
４２   外リブ
４３   らせん状リブ
５     研磨カバー
５１   ろ過リング
５１１ ろ過網
５２   出口
５３   入口
５４   ろ過シート
５５   内リブ
５６   導流リング
５６１ リブ
６     シーリングキャップ
６１   搾りカス排出口
６２   アウタースナップリング
７１   フロント開口
７２   リア開口
８     ギヤボックス
８１   ギヤセット
８２   筐体
８３   シーリングキャップ
８４   第一ギヤ
８４１ 差込穴
８５   第二ギヤ
８５１ 第一差込穴
８５２ 第二差込穴
９     上部クランプ
９１   押え部
９２   押え部
１０   ロッドクランプ
１０１ スクリュー
１１   台座
１２   カウンタウェイト
１３   真空吸着パッド
【図１】
0003234378.tif 000003
【図２】
0003234378.tif 000004
【図３】
0003234378.tif 000005
【図４】
0003234378.tif 000006
【図５】
0003234378.tif 000007
【図６】
0003234378.tif 000008
【図７】
0003234378.tif 000009
【図８】
0003234378.tif 000010
【図９】
0003234378.tif 000011